(57)【要約】【課題】床パネル材１０を周りの土台２，２，…に位置合わせして施工する場合に、施工現場での床パネル材１０の高精度の採寸カットを不要として施工を容易化し、見映えの良い外観が容易に得られるようにする。【解決手段】四周に木質材からなる土台２，２，…が矩形枠状に配置され、土台２，２，…の内側の全体に亘って木質材からなる床パネル材１０が配置されて施工されるパネル施工構造であり、土台２，２，…の内周側面に木質材からなる枠状の根太７，７，…が固定され、根太７，７，…の上面上に床パネル材１０の周縁部が、該周縁部の端面と土台２内周面とが両者の間に所定の隙間Ｓを空けて対向するように重ねられ、床パネル材１０は周縁部で根太７に固定されている。床パネル材１０の周縁部端面と土台２の内周側面との間の隙間Ｓにより形成される凹溝１５に見切り材１６が充填されている。【選択図】図１
2020063580.tif 000002
【特許請求の範囲】
【請求項１】
四周に木質材からなる基材が矩形枠状に配置され、該基材の内側の全体に木質材からなるパネル材が配置されて施工されるパネル施工構造であって、
上記基材の内周側面に木質材からなる受材が固定されており、
上記受材の側面上に上記パネル材の周縁部が、該周縁部の端面と基材内周面とが所定の隙間を空けて対向するように重ねられ、
上記パネル材は周縁部で上記受材に固定されていることを特徴とするパネル施工構造。
【請求項２】
請求項１において、
受材は、パネル材の周縁部が重ねられる側面に化粧面を有し、
パネル材の周縁部端面と基材内周面との間の隙間により、上記受材の化粧面を底部とする底目地が形成されていることを特徴とするパネル施工構造。
【請求項３】
請求項１又は２において、
パネル材の周縁部端面と基材の内周側面との間の隙間に見切り材が充填されていることを特徴とするパネル施工構造。
【請求項４】
請求項１〜３のいずれか１つにおいて、
パネル材は、下地パネル材と、その上に重ねられた仕上材とを有することを特徴とするパネル施工構造。
【請求項５】
請求項２〜４のいずれか１つにおいて、
基材は壁部の周りの柱及び梁であり、
受材は上記柱及び梁に固定された根太であり、
パネル材は、上記根太に固定される壁パネル材であることを特徴とするパネル施工構造。
【請求項６】
請求項３又は４において、
基材は床部の土台であり、
受材は上記土台に固定された根太であり、
パネル材は、上記根太に載置されて固定される床パネル材であることを特徴とするパネル施工構造。
【請求項７】
請求項５のパネル施工構造を備えていることを特徴とする壁部。
【請求項８】
請求項６のパネル施工構造を備えていることを特徴とする床部。
【発明の詳細な説明】
【技術分野】
【０００１】
本発明は、パネル施工構造、それを備えた床部及び壁部に関する。
【背景技術】
【０００２】
一般に、木材に癒やし効果があることは広く知られている。また、近年、いわゆる木育が注目されており、これらのことから、建物の内部の木質化が求められるようになっている。しかし、既存の建物を木質化するには大掛かりな工事が必要となる。
【０００３】
そこで、従来、例えば特許文献１に示されるように、建物の内部空間に組立式の木質空間ユニット（屋内建築物）を設置し、既存の建物であっても、その内部に木質空間を簡単に施工できるようにすることが提案されている。
【０００４】
この提案の木質空間ユニットにおける床部では、周りに根太を配置し、その根太に囲まれた部分に床下地材を配置して、該床下地材を複数の束により床面上で支え、床下地材上に床仕上材（床板）を敷き詰めるようになっている。床仕上材は、その表面の高さ位置が根太表面と同じ高さとなって根太に対し隙間なく当接するように施工されている。壁部は柱間に架け渡されている。これらの材料はいずれも木質材からなっている。
【先行技術文献】
【特許文献】
【０００５】
【特許文献１】特許第６２５４５５５号
【発明の概要】
【発明が解決しようとする課題】
【０００６】
この従来の木質空間ユニットは、床部を含め略全ての材料が木質材であるので、その木質材による癒やし効果が顕著となる。
【０００７】
ところが、その反面、床下地材や床仕上材を根太に対し隙間なく当接するように施工するので、施工現場で床下地材や床仕上材となる板材を寸法に合わせて精度よくカットする必要が生じ、その高精度の採寸カットのために手間がかかり、カットに伴って廃材（ごみ）が出ることになり、改善の余地がある。
【０００８】
本発明は斯かる諸点に鑑みてなされたもので、その目的は、上記のような木質空間ユニットに限らず、プレハブハウスやログハウス等において、パネル材を周りの基材に位置合わせして施工する場合に、そのパネル施工構造を特定することで、施工現場でのパネル材の高精度の採寸カットを不要とし、施工を容易化しながら見映えの良い外観が得られるようにすることにある。
【課題を解決するための手段】
【０００９】
上記の目的の達成のため、この発明では、施工箇所の寸法よりも大きいパネル材を施工寸法に合わせて採寸カットするのではなく、逆に、パネル材の寸法を敢えて施工寸法よりも短くしておき、施工状態ではパネル材と周りの基材との間に隙間が生じる施工構造とするようにした。
【００１０】
具体的には、第１の発明は、四周に木質材からなる基材が矩形枠状に配置され、該基材の内側の全体に木質材からなるパネル材が配置されて施工されるパネル施工構造であって、このパネル施工構造では、上記基材の内周側面に木質材からなる受材が固定されており、上記受材の側面上に上記パネル材の周縁部が、該周縁部の端面と基材内周面とが所定の隙間を空けて対向するように重ねられ、上記パネル材は周縁部で上記受材に固定されていることを特徴とする。
【００１１】
この第１の発明のパネル施工構造では、矩形枠状に配置された基材の内周側面に受材が固定され、この受材にパネル材が周縁部で重ねられて固定され、その固定状態では、パネル材の周縁部端面と基材内周面とが両者の間に所定の隙間を空けて対向しているので、例えば予め工場等でパネル材を基材との間に隙間が生じる寸法にプレカットしておくか、或いは、施工現場でパネル材を基材との間に隙間が生じるように短めにラフカットするだけでよく、施工現場では寸法に合わせて精度よくカットする必要がなくなる。このことで高精度の採寸カットが不要となり、施工の手間を低減して施工を容易に行うことができ、カットに伴って生じる廃材も少なくなる。
【００１２】
また、パネル材の周縁部端面と基材内周面との間に生じた隙間は見切り材を充填して隠したり、或いは隙間を残して底目地に仕上げたりすればよく、隙間があったとしても見映えの良い外観が得られる。
【００１３】
第２の発明は、第１の発明において、受材は、パネル材の周縁部が重ねられる側面に化粧面を有し、パネル材の周縁部端面と基材内周面との間の隙間により、上記受材の化粧面を底部とする底目地が形成されていることを特徴とする。
【００１４】
この第２の発明では、受材の側面に化粧面が設けられているので、この受材の側面にパネル材の周縁部を重ねて固定したとき、パネル材の周縁部端面と基材内周面との間に生じた隙間は、受材の化粧面を底部とする底目地となる。こうすると、隙間を見切り材等の充填により隠蔽しなくても、そのまま露出させて底目地が形成され、見映えの良い外観が得られる。
【００１５】
第３の発明は、第１又は第２の発明において、パネル材の周縁部端面と基材の内周側面との間の隙間に見切り材が充填されていることを特徴とする。
【００１６】
この第３の発明では、パネル材の周縁部端面と基材内周面との間に生じた隙間に見切り材が充填されて、その隙間そのものが見切り材によって隠蔽される。このことにより隙間があっても見映えの良い外観が得られる。
【００１７】
第４の発明は、第１〜第３の発明のいずれか１つにおいて、パネル材は、下地パネル材と、その上に重ねられた仕上材とを有することを特徴とする。
【００１８】
この第４の発明では、下地パネル材と仕上材とを有するパネル材について上記効果が得られ、施工を容易に行うことができるとともに、見映えの良い外観が得られる。
【００１９】
第５の発明は、第２〜第４の発明のいずれか１つにおいて、基材は壁部の周りの柱及び梁であり、受材は上記柱及び梁に固定された根太であり、パネル材は、上記根太に固定される壁パネル材であることを特徴とする。
【００２０】
この第５の発明では、壁部の基材としての柱及び梁の内周側面に受材としての根太が固定され、この根太に、壁パネル材が周縁部で重ねられて固定され、その固定状態では、壁パネル材の周縁部端面と柱及び梁の内周面とが両者の間に所定の隙間を空けて対向しているので、例えば予め工場等において壁パネル材を柱及び梁との間に隙間が生じるようにプレカットするか、或いは、施工現場で壁パネル材を柱及び梁との間に隙間が生じるように短めにラフカットするだけでよく、施工現場では寸法に合わせて精度よくカットする必要がなくなる。このことで高精度の採寸カットが不要となり、施工の手間を低減して壁部の施工を容易に行うことができ、カットに伴って生じる廃材も少なくなる。
【００２１】
また、壁パネル材の周縁部端面と柱及び梁の内周面との間に生じた隙間は、根太の側面を目地底（底面）とする底目地にすることができる。このことで、隙間がそのまま露出されて底目地が形成され、見映えの良い外観の壁部が得られる。
【００２２】
第６の発明は、第３又は第４の発明において、基材は床部の土台であり、受材は上記土台に固定された根太であり、パネル材は、上記根太に載置されて固定される床パネル材であることを特徴とする。
【００２３】
この第６の発明では、床部の基材としての土台の内周側面に受材としての根太が固定され、この根太に床パネル材が周縁部で重ねられて固定され、その固定状態では、床パネル材の周縁部端面と土台内周面とが両者の間に所定の隙間を空けて対向しているので、例えば予め工場等で床パネル材を土台との間に隙間が生じるようにプレカットするか、或いは、施工現場では床パネル材を土台との間に隙間が生じるように短めにラフカットするだけでよく、施工現場では寸法に合わせて精度よくカットする必要がなくなる。このことで、高精度の採寸カットが不要となり、施工の手間を低減して床部の施工を容易に行うことができ、カットに伴って生じる廃材も少なくなる。
【００２４】
また、床パネル材の周縁部端面と土台内周面との間に生じた隙間は見切り材が充填されて隠蔽されるので、隙間があっても見映えの良い外観の床部が得られる。
【００２５】
第７の発明は壁部に係り、この壁部は、第５の発明のパネル施工構造を備えていることを特徴とする。このことで、第５の発明と同様の作用効果が得られる。
【００２６】
第８の発明は床部に係り、この床部は、第６の発明のパネル施工構造を備えていることを特徴とする。このことで、第６の発明と同様の作用効果が得られる。
【発明の効果】
【００２７】
以上説明した如く、本発明によると、矩形枠状に配置される基材の内周側面に受材を固定し、この受材の側面上にパネル材の周縁部を重ねて、パネル材の周縁部の端面と基材内周面とが所定の隙間を空けて対向するように固定したことにより、パネル材の高精度の採寸カットが不要となり、施工の手間を低減して施工の容易化を図り、カットに伴って生じる廃材の低減を図ることができるとともに、パネル材の周縁部端面と基材内周面との間に生じた隙間は、見切り材を充填して隠すか或いは底目地に仕上げるかして、見映えの良い外観が得られる。
【図面の簡単な説明】
【００２８】
【図１】図１は、図２のＩ−Ｉ線断面図である。
【図２】図２は、本発明の実施形態１に係る床部の平面図である。
【図３】図３は、土台と床パネル材との間の凹溝の拡大断面図である。
【図４】図４は、土台に根太を固定した状態を示す断面図である。
【図５】図５は、根太に床パネル材を固定した状態を示す断面図である。
【図６】図６は、隙間に見切り材を充填する状態を示す断面図である。
【図７】図７は、本発明の実施形態２に係る壁部の正面図である。
【図８】図８は、図７のVIII−VIII線断面図である。
【図９】図９は、底目地の拡大断面図である。
【図１０】図１０は、柱及び梁に化粧根太を固定した状態を示す正面図である。
【発明を実施するための形態】
【００２９】
以下、本発明の実施形態を図面に基づいて詳細に説明する。以下の実施形態の説明は、本質的に例示に過ぎず、本発明、その適用物或いはその用途を制限することを意図するものでは全くない。
【００３０】
（実施形態１）
図１及び図２は本発明の実施形態１に係る床部Ｆを示し、この床部Ｆは、例えば建物の内部空間に設置される組立式の木質空間ユニット（屋内建築物）の床部として施工されているもので、パネル施工構造を有する。
【００３１】
図１及び図２において、１は建物内の床面上に矩形枠状に設置された基部で、この基部１の上に、木質材の角材からなる４本の土台２，２，…が矩形枠状に配置されている。これら土台２，２，…は、床部Ｆにおけるパネル施工構造の四周に位置する基材であり、互いに連結されて基部１に固定されている。矩形枠状の土台２，２，…の少なくとも４つの隅角部にそれぞれ柱３，３，…が起立して固定されている。これらの柱３，３，…は互いに同じ太さ及び長さを有する木製の角材からなる。
【００３２】
上記土台２，２，…で囲まれる部分の内側の全体に木質材からなる矩形板材の床パネル材１０が配置されて施工されている。具体的には、図３にも示すように、上記土台２，２，…の各々の内周側面の上下中間部には木質材からなる受材としての根太７，７，…がビスＶ，Ｖ，…によって固定されている。この各根太７は土台２よりも細い角材からなり、４本の根太７，７，…は、土台２，２，…の内周側面に固定されて土台２，２，…と同様に矩形枠状に連結されている。各土台２の内周側面における根太７の取付位置は、その根太７の上面に床パネル材１０が載置されたときに該床パネル材１０の上面が土台２の上面と同じ高さ位置となるように設定されている。
【００３３】
そして、図５にも示すように、上記各根太７の側面である上面に上記床パネル材１０の周縁部が載置されて重ねられている。床パネル材１０の縦横方向の寸法は、矩形枠状の土台２，２，…の内側面での同方向の寸法よりも少し小さく設定されている。そして、この床パネル材１０は周縁部で床パネル材１０を貫通するビスＶ，Ｖ，…により根太７に固定されており、床パネル材１０が周縁部で根太７，７，…に固定された状態では、床パネル材１０の周縁部の端面と各土台２の内周面とが床部Ｆの全体に亘って所定（例えば５ｍｍ程度）の隙間Ｓを空けて対向している。
【００３４】
上記床パネル材１０は、矩形板状の床下地パネル材１１とその上に重ねられてビス等（図示せず）により一体的に固定された同様の床仕上パネル材１２（仕上材）とを有する。床下地パネル材１１は、図示しないが、例えば比較的大きい複数の板材が並べられてパネル状にされたもので、各板材の端部や側部は上記根太７に載置されて固定され、板材の中間部は上記床面上に設置した束（図示せず）により支持されている。
【００３５】
また、床仕上パネル材１２も、図示しないが同様に、例えば床下地パネル材１１よりも小さい複数の細長い板材が並べられてパネル状にされたものであり、床下地パネル材１１に固定されている。この床仕上パネル材１２の複数の板材を並べる場合、隣り合う板材同士が雌雄実部や合決り部によって連結され、その雌実部や合決り部の下側凸条にビス等が挿通されて板材が床下地パネル材１１に固定されている。また、床仕上パネル材１２の板材と床下地パネル材１１の板材とは各々の長さ方向の向きが互いに異なっていてもよく、同じ向きであってもよい。
【００３６】
上記床下地パネル材１１とその上の床仕上パネル材１２とは全体が互いに同じ寸法の大きさである。床下地パネル材１１及び床仕上パネル材１２の各々の板材は、いずれも予め製造工場で目的の寸法にプレカットされており、施工現場では、それらプレカットされた板材をパネル状に並べて施工することで、パネル状の床下地パネル材１１及び床仕上パネル材１２が形成されるようになっている。
【００３７】
尚、本実施形態では、施工現場において、上記プレカットされている板材を、パネル状に並べて床下地パネル材１１及び床仕上パネル材１２の形状にし、それら床下地パネル材１１及び床仕上パネル材１２を積層固定するようにしているが、予め製造工場において、床下地パネル材１１及び床仕上パネル材１２を積層固定することにより、床パネル材１０を形成しておいてもよい。その場合、下地パネル材１１及び仕上パネル材１２を常に一体物として取り扱うことができ、そのハンドリング性を高めることができる。
【００３８】
さらに、図３に拡大して詳示するように、上記床パネル材１０の周縁部端面と土台２の内周側面との間の隙間Ｓにより、床パネル材１０の周縁部端面と土台２の内周側面とを溝側面とし根太７の上面を溝部とした断面コ字状の凹溝１５が形成され、この凹溝１５（隙間Ｓ）には細長い形状の見切り材１６が充填されて固定されている。この見切り材１６は、上記凹溝１５（隙間Ｓ）に嵌合される嵌合部１６ａと、この嵌合部１６ａの上端に床パネル材１０（土台２）の中央に向かって延びるように連続し、隙間Ｓの開口よりも広い幅を有するカバー部１６ｂとを有する断面略Ｌ字状のもので、嵌合部１６ａが凹溝１５（隙間Ｓ）に嵌合されたときにカバー部１６ｂが床パネル材１０（床仕上パネル材１２）の上面周縁部を覆って、床パネル材１０固定用のビスＶ等を隠すようになっている。見切り材１６は、例えばＡＢＳ樹脂等からなっており、接着剤や両面テープ等によって凹溝１５の内面に固定されている。尚、凹溝１５はコ字状以外の断面形状を有する構造であってもよい。
【００３９】
このような床部Ｆを施工する場合、図４に示すように、木製の角材からなる土台２，２，…を矩形枠状に連結し、その土台２，２，…を設置空間の床面上に基部１を介して設置する。この枠状の土台２，２，…の４つの隅角部に柱３，３，…を固定して設置した後、土台２，２，…の内周側面に根太７，７，…を固定する。
【００４０】
次いで、図５に示すように、この根太７，７，…の上に、床下地用のプレカットされている複数の板材をパネル状に並べて土台２の内周側面と隙間Ｓが空くように載置し、板材の中間部は束によって床面上に支持する。このことで、根太７，７，…上に床下地パネル材１１を形成する。
【００４１】
そして、床下地パネル材１１上に、床仕上用のプレカットされている複数の板材をパネル状に並べて土台２，２，…の内周側面に対し床下地用の板材と同じ隙間Ｓが空くように載置し、その各々を床下地パネル材１１にビス等で固定して床仕上パネル材１２を形成する。このことで、その床仕上パネル材１２を床下地パネル材１１とを固定一体化して床パネル材１０とする。この床パネル材１０の周縁端部に位置する部分において、その床仕上パネル材１２の各板材を床下地パネル１１の各板材と共にビスＶ，Ｖ，…により根太７に固定する。
【００４２】
最後に、図６に示すように、上記床下地パネル材１１及び床仕上パネル材１２と土台２の内周側面との間の隙間Ｓによる凹溝１５に見切り材１６を押し込んで充填し、凹溝１５及び床パネル材１０のビスＶを隠す。以上により床部Ｆが施工される。
【００４３】
したがって、この実施形態においては、床部Ｆの土台２，２，…の内周側面に根太７，７，…が固定され、この根太７，７，…に、床下地パネル材１１と、床下地パネル材１１上に固定される床仕上パネル材１２とを有する床パネル材１０が周縁部でビスＶ，Ｖ，…により固定され、その固定状態では、床パネル材１０の周縁部端面と土台２内周面とが両者の間に所定の隙間Ｓを空けて対向しているので、予め床パネル材１０における床下地パネル材１１及び床仕上パネル材１２の各々の板材を土台２との間に隙間Ｓが生じるようにプレカットしておけば、床部Ｆの施工現場では、板材を寸法に合わせて精度よくカットする作業が不要となる。このことで高精度の採寸カットが要らず、施工の手間を低減して床部Ｆの施工を容易に行うことができ、カットに伴って生じる廃材も少なくなる。
【００４４】
また、床パネル材１０の周縁部端面と土台２内周面との間に生じた隙間Ｓにより、根太７を底面とする凹溝１５が形成されるが、その凹溝１５に見切り材１６が充填されているので、たとえ施工の容易化に伴って隙間Ｓが生じていても、その隙間Ｓは見切り材１６によって隠蔽され、見映えの良い外観の床部Ｆが得られる。
【００４５】
尚、上記のように、床下地パネル材１１及び床仕上パネル材１２の各板材を、予め工場で土台２との間に隙間Ｓが生じるようにプレカットするのに代え、施工現場で同様の隙間Ｓが生じるようにカットしてもよい。その場合、積極的に隙間Ｓを形成する必要があるので、板材を隙間Ｓが生じるように短めにラフカットする。このことで高精度の採寸カットが要らず、その分、やはり施工が容易になる。
【００４６】
（実施形態２）
図７〜図１０は本発明の実施形態２を示し（尚、図１〜図６と同じ部分については同じ符号を付してその詳細な説明は省略する）、実施形態１では本発明を床部Ｆに適用しているのに対し、壁部Ｗに適用したものである。
【００４７】
すなわち、この実施形態２に係る壁部Ｗは、実施形態１と同様に、例えば建物の内部空間に設置される組立式の木質空間ユニット（屋内建築物）の壁部として施工されている。図７及び図８に示すように、壁部Ｗは、建物内の床面上に立設された木質材の角材からなる柱３，３と、これら柱３，３の上下部間にそれぞれ架け渡されて固定された木質材の角材からなる上下の梁２０，２０とを有する。このことで、柱３，３及び梁２０，２０は、パネル施工構造の四周に位置する木質材の角材からなる基材として矩形枠状に配置されて連結固定されている。
【００４８】
上記柱３，３及び梁２０，２０で囲まれる部分の内側の全体に亘って木質材からなる矩形板材の前後の壁パネル材２５，２５が配置されて施工されている。具体的には、図１０に示すように、上記柱３，３及び梁２０，２０の内周側面の奥行き方向の前後中間部には木質材からなる受材としての４本の化粧根太２２，２２，…がビスＶ，Ｖ，…によって固定されている。この各化粧根太２２は柱３及び梁２０よりも細い角材からなり、４本の化粧根太２２，２２，…は、柱３，３及び梁２０，２０の内周側面に固定されて、柱３，３及び梁２０，２０と同様に矩形枠状に組まれている。化粧根太２２の幅や、柱３及び梁２０の内周側面における化粧根太２２の取付位置は、その化粧根太２２の前後側面にそれぞれ壁パネル材２５，２５が当接したときに該各壁パネル材２５の表面が柱３及び梁２０の表面と同じ位置（図８参照）かそれよりも壁厚さ方向中央側の奥まった位置に位置するように設定されている。
【００４９】
上記化粧根太２２は、外周面の全体に塗装や突板の貼付け等によって表面処理を施した木製の角材で、その外周全体に化粧面が形成されている。尚、この化粧面は、化粧根太２２の外周全体に形成しなくてもよく、後述する壁パネル材２５が当接して底目地３０の底部となる前後側面にだけ化粧面を形成してもよい。
【００５０】
そして、上記化粧根太２２の側面である前後両側面（化粧面）にそれぞれ壁パネル材２５，２５の周縁部が裏面で当接して重ねられている。そして、各壁パネル材２５の縦横方向（上下方向及び左右方向）の大きさ寸法は柱３，３及び梁２０，２０で囲まれる部分の内側面の同寸法よりも少し小さく設定されている。このことで、各壁パネル材２５が化粧根太２２，２２，…に固定された状態では、壁パネル材２５の周縁部の端面と柱３，３及び梁２０，２０の内周面とは、両者の間に壁部Ｗの全体に亘って所定（例えば５ｍｍ程度）の隙間Ｓを空けて対向し、柱３，３や梁２０，２０が壁パネル材２５によって隠されない真壁納め（真壁仕様）となっており、この壁パネル材２５は周縁部で壁パネル材２５を貫通するビスＶ，Ｖ，…により化粧根太２２に固定されている。
【００５１】
上記各壁パネル材２５は、例えば矩形板状の１枚ものの壁下地パネル材２６とその上に重ねられた同様の壁仕上パネル材２７（仕上材）とを有し、周縁部が両パネル材２６，２７を貫通するビスＶ，Ｖ，…により上記化粧根太２２に固定されている。
【００５２】
上記壁下地パネル材２６とその上の壁仕上パネル材２７とは同じ寸法の大きさである。これら壁下地パネル材２６と壁仕上パネル材２７とは、いずれも予め製造工場で所定寸法にプレカットされている。尚、これら壁下地パネル材２６及び壁仕上パネル材２７を積層一体化しておいてもよい。
【００５３】
そして、図９に拡大して示すように、上記化粧根太２２が外面全体に化粧面を有することで、各壁パネル材２５の周縁部端面と柱３，３及び梁２０，２０の内周面との間の隙間Ｓにより、化粧根太２２の化粧面を底部（目地底）としかつ壁パネル材２５の周縁部端面と柱３，３及び梁２０，２０の内周面とを目地側面とした断面コ字状の凹溝状の底目地３０が形成されている。この底目地３０はコ字状以外の断面形状を有する構造であってもよい。
【００５４】
尚、壁下地パネル材２５における壁仕上パネル材２７の周縁部に壁下地パネル材２５を貫通するビスＶの頭部が露出しているが、この頭部をビスキャップによって隠すようにしてもよい。
【００５５】
この壁部Ｗを施工する場合、柱３，３及び梁２０，２０を矩形状に連結し、その柱３，３及び梁２０，２０の内周側面に化粧根太２２，２２，…をビスＶ，Ｖ，…により固定する。
【００５６】
次いで、この化粧根太２２，２，…の前後側面上にそれぞれ壁下地パネル材２６，２６を柱３，３及び梁２０，２０の内周側面と隙間Ｓが空くように当てて仮止めする。
【００５７】
そして、各壁下地パネル材２６上に壁仕上パネル材２７を、上記と同様に柱３，３及び梁２０，２０の内周側面と隙間Ｓが空くように並べ、その壁仕上パネル材２７を壁下地パネル材２６と共に周縁部で化粧根太２２にビスＶ，Ｖ，…により固定すればよい。
【００５８】
したがって、この実施形態では、壁部Ｗの柱３，３及び梁２０，２０の内周側面に化粧根太２２，２２，…が固定され、この化粧根太２２，２２，…の前後側面に、壁下地パネル材２６と、壁下地パネル材２６上に重ねられて配置される壁仕上パネル材２７とを有する壁パネル材２５，２５が周縁部で固定され、その固定状態では、各壁パネル材２５の周縁部端面と柱３，３及び梁２０，２０の内周面とが両者の間に所定の隙間Ｓを空けて対向しているので、壁部Ｗの施工時には、予めプレカットされている壁パネル材２５を柱３，３及び梁２０，２０との間に隙間Ｓが生じるように固定するだけでよく、寸法に合わせて精度よくカットする必要がなくなる。このことで高精度の採寸カットが不要となり、施工の手間を低減して壁部Ｗの施工を容易に行うことができ、カットに伴って生じる廃材も少なくなる。
【００５９】
また、各壁パネル材２５の周縁部端面と柱３，３及び梁２０，２０の内周面との間に生じた隙間Ｓは、化粧根太２２の前後側面からなる化粧面を底部（目地底）とする底目地３０となる。このことで、隙間Ｓがそのまま露出されてその底部が見えたとしても、その隙間Ｓは底目地３０となるので、見映えの良い外観の壁部Ｗが得られる。
【００６０】
尚、この実施形態２においても、各壁パネル材２５の壁下地パネル材２６及び壁仕上パネルを予め工場でプレカットするのに代え、施工現場で同様の隙間Ｓが生じるようにカットしてもよい。その場合、隙間Ｓを形成することが必要であるので、施工現場では壁下地パネル材２６及び壁仕上パネル２７を短めにラフカットするだけでよく、その分、施工が容易になる。
【００６１】
また、壁下地パネル材２６と壁仕上パネル材２７とを予め積層一体化しておくと、両者を常に一体物として取り扱うことができ、そのハンドリング性を高めることができる。
【００６２】
（その他の実施形態）
上記実施形態において、床部Ｆや壁部Ｗが大きい場合、例えば対向する土台２，２間に土台２を、また対向する柱３，３間に梁２０をそれぞれ架け渡すように固定することで、床部Ｆや壁部Ｗを、四周に土台２，２，…や柱３及び梁２０が配置された複数の枠構造に分割し、それらの各々について上記と同様にパネル材１０，２５を施工すればよい。
【００６３】
上記実施形態２では、壁部Ｗの柱３，３及び梁２０，２０の内周面と壁パネル材２５との間の隙間Ｓにより底目地３０を形成しているが、実施形態１と同様に見切り材１６を充填してもよい。或いは逆に、実施形態１において、根太７を実施形態２のような化粧根太とすることにより、土台２の内周面と床パネル材１０との間の隙間Ｓにより底目地３０を形成することもできる。これらは必要に応じて適宜選択すればよい。
【００６４】
また、上記実施形態２では、壁パネル材２５は壁下地パネル材２６と壁仕上パネル材２７とを有する構造としているが、壁仕上パネル材２７の代わりにクロス（壁紙）を用い、そのクロスを壁パネル材２５に貼り付けるようにしてもよく、そのクロスが仕上材となる。
【００６５】
また、上記各実施形態は、本発明を、建物の内部空間に設置される組立式の木質空間ユニットの床部Ｆや壁部Ｗに適用したものであるが、本発明は、この他、例えば屋外に設置されるプレハブハウスやログハウス等の建築物の床部や壁部、或いは防音二重床に対しても適用することができる。
【００６６】
また、上記各実施形態は、建物の床部Ｆや壁部Ｗの構造であるが、本発明は建物の天井部であっても適用することができる。
【産業上の利用可能性】
【００６７】
本発明は、パネル材の高精度の採寸カットが不要となって施工の容易化を図りながら、見映えの良い外観が得られるので、極めて有用で産業上の利用可能性が高い。
【符号の説明】
【００６８】
Ｆ  床部
Ｗ  壁部
Ｓ  隙間
Ｖ  ビス
２  土台（基材）
３  柱（基材）
７  根太（受材）
１０  床パネル材（パネル材）
１１  床下地パネル材
１２  床仕上パネル材（仕上材）
１５  凹溝
１６  見切り材
２０  梁（基材）
２２  化粧根太（受材）
２５  壁パネル材（パネル材）
２６  壁下地パネル材
２７  壁仕上パネル材（仕上材）
３０  底目地
【図１】
2020063580.tif 000003
【図２】
2020063580.tif 000004
【図３】
2020063580.tif 000005
【図４】
2020063580.tif 000006
【図５】
2020063580.tif 000007
【図６】
2020063580.tif 000008
【図７】
2020063580.tif 000009
【図８】
2020063580.tif 000010
【図９】
2020063580.tif 000011
【図１０】
2020063580.tif 000012